(57)【要約】      （修正有）【課題】簡単な操作で開封済み等の情報が箱体の一部に表示され、管理が容易となる包装用箱を提供する。【解決手段】包装用箱１０は、一枚の箱体形成片から成り、箱体形成片には、互いに平行に連接され筒体に組み立てられる側面１４、１６、１８、２０と、側面１４の連接方向の端部に設けられ端部を閉鎖する上蓋片５０と、上蓋片５０の裏面側に重ねられるフラップ７６を有する。上蓋片５０の側縁部側には、側縁部と、上蓋片５０の側縁部に連通して交差する一対の破断線６０と、一対の破断線６０の先端部同士を連結する折り曲げ線６２で囲まれた折込片５８を備える。上蓋片５０は、折込片５８を、破断線６０を切断して折り曲げ線で折り返すことにより開口部５１が形成され、フラップ７６の表面が露出する。開口部５１に露出したフラップ７６の表面に、文字や絵柄により情報が印刷された印刷部８０を有する。【選択図】図１
0003230609.tif 000002
【実用新案登録請求の範囲】
【請求項１】
一枚の箱体形成片から成り、前記箱体形成片には、互いに平行に連接され筒体に組み立てられた側面と、前記側面のうちの一側面の、前記側面の連接方向と直交する方向の端部に設けられ前記筒体の端部を閉鎖する蓋片と、前記蓋片が設けられた前記一側面に隣接する他の側面の、前記連接方向と直交する方向の端部に設けられ前記蓋片の裏面側に重ねられるフラップが設けられ、
前記蓋片の、前記フラップが設けられている前記他の側面側に位置した側縁部には、前記側縁部と、前記蓋片の前記側縁部に連通して交差する一対の破断線と、前記一対の破断線の先端部同士を連結する折り曲げ線で囲まれた折込片が設けられ、
前記フラップの表面には、文字や絵柄により情報が印刷された印刷部が設けられ、
前記蓋片は、前記折込片を、前記破断線を切断して前記折り曲げ線で折り返すことにより開口部が形成され、前記フラップの表面の前記印刷部が露出することを特徴とする包装用箱。
【請求項２】
前記蓋片の、前記一側面に接続した側とは反対側に再封用の差し込み片が設けられている請求項１記載の包装用箱。
【請求項３】
前記折り曲げ線は、折り曲げを容易にしたミシン線である請求項１記載の包装用箱。
【請求項４】
前記印刷部には、開封済みを示す文字が印刷されている請求項１記載の包装用箱。
【考案の詳細な説明】
【技術分野】
【０００１】
この考案は、開封済みであること等を示す表示を可能にした表示付き包装用箱に関する。
【背景技術】
【０００２】
従来、例えば特許文献１に開示されているように、略直方体の箱体であって、組立状態で、蓋の内側に重ねられるフラップの基端部に、フラップと側面を区切る折罫線とＵ字状の破断線とで囲まれた延長表示部が設けられた包装用箱がある。延長表示部には開封済みを意味する表示がされており、開封前の組立状態では、延長表示部が蓋の内側にあって外から視認できない。開封された後、使用者が破断線を破断し、延長表示部をフラップの内側から引き上げ、延長表示部を箱体の外に引き出した状態でフラップを折り戻し、蓋を閉じて再封すると、延長表示部の表示が外から視認できる状態になる。
【先行技術文献】
【特許文献】
【０００３】
【特許文献１】実用新案登録第３１９４８３４号公報
【考案の概要】
【考案が解決しようとする課題】
【０００４】
特許文献１の包装用箱の場合、フラップは組立状態で蓋の内側に重なるように折り曲げられているが、開封した後、延長表示部をフラップから引き上げ、延長表示部を箱体の外に引き出して再封すると、延長表示部が蓋よりも上方に起立する状態になる。従って、例えば、再封された包装用箱が複数段に重ねて保管されたとき、下段の包装用箱の延長表示部が上段の包装用箱の側方に配置されることになり、使用者がこれを見ると、上段の包装用箱が開封済みであると誤認しやすいものである。さらに、延長表示部が包装用箱の外に突出して他の部材に引っかかったりして邪魔なものである。
【０００５】
この考案は、上記背景技術の問題点に鑑みてなされたものであり、簡単な操作で開封済み等の情報が箱体の一部に表示され、管理が容易となる包装用箱を提供することを目的とする。
【課題を解決するための手段】
【０００６】
本考案は、一枚の箱体形成片から成り、前記箱体形成片には、互いに平行に連接され筒体に組み立てられる側面と、前記側面のうちの一側面の、前記側面の連接方向と直交する方向の端部に設けられ前記筒体の端部を閉鎖する蓋片と、前記蓋片が設けられた前記側面に隣接する側面の、連接方向の端部に設けられ前記蓋片の裏面側に重ねられるフラップが設けられ、前記蓋片の、前記フラップが設けられている前記他の側面側に位置した側縁部には、前記側縁部と、前記蓋片の前記側縁部に連通して交差する一対の破断線と、前記一対の破断線の先端部同士を連結する折り曲げ線で囲まれた折込片が設けられ、前記フラップの表面には、文字や絵柄により情報が印刷された印刷部が設けられ、前記蓋片は、前記折込片を、前記破断線を切断して前記折り曲げ線で折り返すことにより開口部が形成され、前記フラップの表面の前記印刷部が露出する包装用箱である。
【０００７】
前記折込片は、前記蓋片の前記側縁部と、前記蓋片の前記側縁部に連通して交差する一対の前記破断線と、前記一対の破断線の先端部同士を連結する前記折り曲げ線で囲まれて設けられている。前記蓋片の、前記一側面に接続した側とは反対側の端部に再封用の差し込み片が設けられている。前記折り曲げ線は、折り曲げを容易にしたミシン線でも良い。
【０００８】
前記開口部に露出した前記フラップの表面には、文字や絵柄により情報が印刷された印刷部が設けられているものである。特に、前記印刷部には、開封済みを示す文字が印刷されていると良い。
【考案の効果】
【０００９】
本考案の包装用箱は、簡単な操作で開封済み等の情報が箱体の一部に表示され、管理が容易となる。箱体の側方に突出する部材がなく、複数段に重ねて保管した時でも、どの包装用箱に関する表示であるかわかり易く、間違える恐れが無い。また折込片は、折り曲げ線で上蓋片に連結されたまま折り返すことで印刷部を表示することができ、切り離す必要がなく操作が簡単である。またゴミ等が出ず、周囲を汚すことがない。
【図面の簡単な説明】
【００１０】
【図１】この考案の一実施形態の包装用箱の印刷部が表示された状態を示す斜視図である。
【図２】この考案の一実施形態の包装用箱の斜視図である。
【図３】この考案の一実施形態の包装用箱の展開図である。
【図４】この考案の一実施形態の包装用箱の組立工程を示す図である。
【考案を実施するための形態】
【００１１】
以下、この考案の実施形態について図面に基づいて説明する。図１〜図４はこの考案の一実施形態を示すもので、この実施形態の包装用箱１０は、略直方体の箱体であり、厚紙などの一枚のブランクシートを一体的に打ち抜いた箱体形成片１２を組み立てることによって形成されている。
【００１２】
図３は、箱体形成片１２を表面から見た展開図であり、箱体形成片１２は、側面１４，１６，１８，２０が、互いに平行に連接して形成されている。側面１４，１６，１８，２０の、連接方向と直交する幅方向の長さは、収容物の大きさにより適宜設定される。側面１４の側縁部には、包装用箱１０の組立状態で側面２０の表面に重ねて糊付けされる覆い片２２が設けられている。覆い片２２、側面１４，１６，１８，２０は、各々折罫線２４，２６，２８，３０で区切られている。
【００１３】
覆い片２２は、側面１４との連接方向の幅が側面２０よりも短く設けられ、側面１４との連接方向に交差する長さは側面２０とほぼ同じである。覆い片２２の一部には、表示片３２が設けられている。表示片３２は、覆い片２２よりも少し小さい矩形であり、一方の側縁部３２ａは、覆い片２２の、折罫線２４と反対側の側縁部２２ａに一致して設けられ、他方の側縁部３２ｂは、折罫線２４から少し離れた位置に折罫線２４に対して略平行に設けられている。側縁部３２ａ，３２ｂに交差する一対の端部３２ｃ，３２ｄは、覆い片２２の折罫線２４に交差する一対の端部から少し離れた位置に折罫線２４に対して略直角に設けられている。表示片３２は、側縁部３２ｂ、端部３２ｃ，３２ｄに沿って形成されたコの字形のジッパー線３４で囲まれ、覆い片２２のその他の部分と区切られている。
【００１４】
表示片３２には、端部３２ｄと側縁部３２ａで囲まれた角部に摘み部３６が設けられている。摘み部３６は、側縁部３２ａから僅かに外側に膨出して形成され、また端部３２ｄと側縁部３２ａで囲まれた角部を面取りするように交差する折罫線３８が設けられている。なお、摘み部３６は、表示片３２を覆い片２２から切り取る時に保持するものである。また摘み部３６に隣接する側縁部３２ａは、端部３２ｄに交差する部分がＶ字状に切り欠かれ、摘み部３６を保持しやすくなっている。表示片３２の内側には、側縁部３２ａ，３２ｂに略直角に交差する破断線４０が設けられ、表示片３２を切断可能に２等分している。表示片３２には、収容物について説明する表示事項が印刷されている。表示事項は、文字や記号等で形成され、破断線４０で区切られた両方に、各々必要な表示事項が印刷されている。
【００１５】
側面１４の、折罫線２４に交差する一対の端部の、覆い片２２の摘み部３６に近い方には、矩形の底蓋片４２が折罫線４４で区切られて設けられている。底蓋片４２の、折罫線４４と反対側の端部には、差込片４６が折罫線４８で区切られて設けられている。
【００１６】
側面１４の、折罫線４４と反対側の端部には、底蓋片４２と同じ形状の上蓋片５０が折罫線５２で区切られて設けられている。上蓋片５０の、折罫線５２と反対側の端部には、差込片５４が折罫線５６で区切られて設けられている。上蓋片５０の、折罫線２４の延長線上に位置する側縁部５０ａには、一対の破断線６０が互いに平行で側縁部５０ａに対して略直角に設けられている。一対の破断線６０の、側縁部５０ａから所定距離に位置した先端部同士は、一本の直線の折り曲げ線６２で連結されている。側縁部５０ａと、一対の破断線６０と、折り曲げ線６２で囲まれた矩形の部分は、折込片５８となる。側縁部５０ａの、一対の破断線６０に交差する２か所は、Ｖ字状に切り欠かれ、折込片５８を保持して破断線６０を切断しやすいようになっている。折り曲げ線６２は、折り曲げやすくした折り罫線やミシン線、半切り線等が好ましいが、一対の破断線６０の端部間を結ぶものであれば良い。
【００１７】
側面１６の、折罫線５２に隣接する端部には、矩形のフラップ６４が折罫線６６で区切られて設けられている。側面１６の、折罫線６６と反対側の端部には、フラップ６４と同じ形状のフラップ６８が折罫線７０で区切られて設けられている。
【００１８】
側面１８の、折罫線６６に隣接する端部１８ａには、側面１８の中心に向って逆台形状の破断線７２が設けられている。端部１８ａと破断線７２に囲まれた部分は開封部７４であり、包装用箱１０を閉鎖する際に差込片５４に糊付けされるか上蓋片５０にテープ８８で止められる。側面１８の、端部１８ａと反対側の端部１８ｂには、何も設けられていない。
【００１９】
側面２０の、端部１８ａに隣接する端部には、フラップ６４と同じ形状のフラップ７６が折罫線７８で区切られて設けられている。フラップ７６には、開封済みであることを示す文字等が印刷された印刷部８０が設けられている。印刷部８０は、折罫線７８に近い位置で、包装用箱１０の組立状態で上蓋片５０の折込片５８が重なる位置に設けられている。側面２０の、折罫線７８と反対側の端部には、フラップ７６と同じ形状のフラップ８２が折罫線８４で区切られて設けられている。
【００２０】
次に、この実施形態の包装用箱１０の組立方法について説明する。なお、ここでは図３が包装用箱１０の箱体形成片１２の表面側を見たものであり、箱体形成片１２の表面側が凸になる折り方を正折り、そして裏面側が凸になる折り方を逆折りとする。
【００２１】
まず、折罫線３０を正折りし、覆い片２２の裏面に糊８６を塗布する。糊８６は、表示片３２の端部３２ｃの外側の２か所と、端部３２ｄの外側の２か所の、合計４か所で、いずれも側縁部２２ａに対して略平行な直線形状に塗布する。そして、折罫線２６を正折りして、側面２０の表面に覆い片２２を糊付けする。このようにして箱体形成片１２は、図４に示す折り畳み状態となり、この折り畳んだ状態で出荷される。
【００２２】
次に、商品を包装する工場等において、立体的形状に組み立てる。まず、折罫線２６，３０を各々９０°に正折りし、側面１４，１６，１８，２０を四角形の筒体にする。折罫線７０，８４でフラップ６８，８２を９０°に正折りし、底蓋片４２を折罫線４４で９０°に正折りし、さらに差込片４６を折罫線４８で正折りして、差込片４６を側面１８の端部１８ｂから内側に差し込んで係止し、筒体の一方の端部を閉鎖する。この状態で、反対側の端部開口から商品を中に入れる。
【００２３】
そして、折罫線６６，７８でフラップ６４，７６を９０°に正折りし、折罫線５２で上蓋片５０を９０°に正折りし、折罫線５６で差込片５４を９０°に正折りし、そして差込片５４を側面１８の端部１８ａから内側に差し込んで係止する。側面１８の開封部７４と、上蓋片５０にわたしてテープ８８を貼着し、図２に示すように上蓋片５０を封止する。これで商品の包装作業が終了する。
【００２４】
覆い片２２の表示片３２は側面２０に糊付けされていないが、表示片３２の端部３２ｃ，３２ｄの外側の４か所が各々糊付けされているため、表示片３２は側面２０との間に隙間が少なく、確実に重ねて取り付けられる。なお、包装用箱１０を組み立てる順番は、これ以外でもよい。テープ８８を使用せずに、差込片５４の表面中央部に糊を塗布し、差込片５４を側面１８の端部１８ａから内側に差し込む時に差込片５４の表面に糊付けして封止してもよい。
【００２５】
次に、包装用箱１０の使用方法について説明する。包装用箱１０を開封する時は、側面１８の開封部７４を押して破断線７２を切断しながら切り離し、上蓋片５０を開く。再封する時は、差込片５４を側面１８の内側に差し込んで係止する。上蓋片５０を再封する際に、折込片５８を押して破断線６０を切断し、折り曲げ線６２を正折りして上蓋片５０の裏面に折込片５８を折り重ねる。すると、上蓋片５０に開口部５１が形成される。その状態で上蓋片５０を再封すると、上蓋片５０の開口部５１からフラップ７６が露出し、フラップ７６の印刷部８０が視認される。印刷部８０の文字や絵柄により開封済みであることが表示される。また、差込片５４が側面１８の内側に差し込まれた状態で、折込片５８を押して折り曲げ線６２を正折りし、上蓋片５０の裏側に折り重ねても良い。
【００２６】
包装用箱１０に入れられた商品を棚等において在庫等の管理をする場合、商品である収容物の内容を表示するために、表示片３２を切り離して、例えば棚の所定の位置に差し入れて使用する。切り離す方法は、摘み部３６に指をかけ、折罫線３８を折り曲げて摘み部３６を引き起こしながら、ジッパー線３４を切断する。表示片３２は破断線４０で二つに分割して使用してもよい。表示片３２を切り離した後は、覆い片２２に開口部が形成されるが、側面２０の表面が露出して開口部を閉鎖し、収容されている商品を継続して包装する。
【００２７】
この実施形態の包装用箱１０によれば、開封後に再封する時、簡単な操作で開封済みであることが上蓋片５０に表示され、開封済みかどうかを容易かつ確実に確認することができ、商品の管理を容易にすることができる。上蓋片５０に形成された開口部５１に、フラップ７６の印刷部８０が露出するものであり、箱体の側方に突出する部材がなく、かさばらず保管しやすい上、突出部分が不用意に人や他の部材に引っかかったりすることもない。また、包装用箱１０を複数段に重ねて保管した時でも、上蓋片５０が側方に位置するように積み重ねると、開封された包装用箱１０の上蓋片５０に印刷部８０が表示され、どの包装用箱１０に関する表示であるかわかり易く、間違える恐れが無い。また、折込片５８を折り曲げ線６２で上蓋片５０に連結されたまま印刷部８０を表示することができ、折込片５８を切断する必要がなく操作が簡単であり、ゴミ等が出ず、周囲を汚すこともない。なお、開封部７４を切断して開封した時は、開封部７４がテープ８８で上蓋片５０に貼り付けられているため、開封部７４もゴミにならない。その他、箱体形成片１２の形状がシンプルであり、一般的な自動包装装置による製造が可能であり、作業効率が良い。折込片５８が設けられても箱強度に与える影響が少なく安全に輸送することができ、また仕上がりの体裁を損なうことがない。
【００２８】
特に、包装用箱１０に医薬品を入れて医療現場で使用する場合、医薬品の保管場所に開封済みと未開封の包装用箱１０が混在している場合があるが、この実施形態の包装用箱１０によれば、簡単に見分けることができる。また表示片３２に、収容した医薬品を説明する表示事項を設け、表示片３２を切り離して、医薬品の在庫や商品内容の管理等を行うことができる。表示片３２を切り離しても箱体の強度を維持し、形状が壊れることがなく、穴が開くこともなく、継続して残りの医薬品を包装することができる。このように、特に医薬品の管理を容易にすることができ、便利である。
【００２９】
なお、この考案の包装用箱は、上記実施形態に限定されるものでは無い。印刷部の表示内容は、開封済み以外に、内容物の表示や注意事項、開封に伴う注意事項であってもよい。印刷部は、文字以外に、絵柄や着色により情報を伝えるものでもよい。折込片の形状や、取り付け位置、大きさは自由に変更可能であり、折込片を折り込んで形成される開口部から印刷部が確実に表示されるものであれば良い。包装用箱の大きさや形状は、収容物に合わせて適宜変更可能である。折込片は、上蓋片の側縁部以外に設けられてもよく、底蓋片や覆い片等に設けて底蓋片や覆い片に表示するものでもよい。
【符号の説明】
【００３０】
１０  包装用箱
１２  箱体形成片
１４，１６，１８，２０  側面
２２  覆い片
３２  表示片
５０  上蓋片
５０ａ  側縁部
５１  開口部
５８  折込片
６０  破断線
６２  折り曲げ線
６４，６８，７６，８２  フラップ
８０  印刷部
【図１】
0003230609.tif 000003
【図２】
0003230609.tif 000004
【図３】
0003230609.tif 000005
【図４】
0003230609.tif 000006